(57)【要約】      （修正有）【課題】緩衝部材に粘り付かずに、携帯型電子機器が容易にラギダイズケースから取り出せる携帯型電子機器のラギダイズ構造を提供する。【解決手段】緩衝ゴム部材２５ａ〜２５ｇの携帯形電子機器１を支える面に、合成樹脂製のスペーサ部材２７，２８を設けた。これにより、緩衝ゴム部材２５ａ〜２５ｇに粘り付かずに携帯型電子機器１がラギダイズケースから取り出せる。【選択図】図９
2006334005.tif 000002
【特許請求の範囲】
【請求項１】
内部に携帯型電子機器を取出し可能に収容するラギダイズケースと、
前記ラギダイズケースの内面に取付けられ、収容された前記携帯形電子機器を外側から支える緩衝ゴム部材と、
前記緩衝ゴム部材の前記携帯形電子機器を支える面に設けられた合成樹脂製のスペーサ部材と
を具備したことを特徴とする携帯型電子機器のラギダイズ構造。
【請求項２】
内部に携帯型電子機器を収容するラギダイズケースと、
前記ラギダイズケースの内面に取付けられ、収容された前記携帯形電子機器を外側から支える緩衝ゴム部材と、
前記ラギダイズケースの内面と前記緩衝ゴム部材との間に介在された、前記ラギダイズケース内面から前記緩衝ゴム部材へ向かい突き出る、先端が丸みを帯びた複数の突起部と
を具備したことを特徴とする携帯型電子機器のラギダイズ構造。
【請求項３】
前記ラギダイズケースは、複数に分割されたケース片を組み合せて構成され、
前記ケース片の合わ面の近くの壁部には、当該ケース片同士を引き離す作業を行なう際、指先を引っ掛けるためのくぼみ部を有している
ことを特徴とする請求項１または請求項２に記載の携帯型電子機器のラギダイズ構造。
【請求項４】
前記携帯型電子機器は、表示画面を有し、
前記ラギダイズケースには、前記表示画面をケース外へ透視させる透視部を有し、
さらに前記ラギダイズケースには、前記透視部の前面をケース外から覆う保護パッド部材を有している
ことを特徴とする請求項１または請求項２に記載の携帯型電子機器のラギダイズ構造。
【請求項５】
前記保護パッド部材は、前記ラギダイズケースに巻き付けて表示画面の前面を覆う透明なゴム部材から構成される
ことを特徴とする請求項４に記載の携帯型電子機器のラギダイズ構造。
【発明の詳細な説明】
【技術分野】
【０００１】
本発明は、携帯型電子機器を屋外の苛酷な環境に耐えるように強化する携帯型電子機器のラギダイズ構造に関する。
【背景技術】
【０００２】
ＰＤＡ（Personarul Digital Assistannt）などといった携帯型電子機器は、主に屋内あるいは通常で使用する環境条件で設計された機器である。このような仕様の機器は、そのまま、衝撃などが加わりやすい野外環境では使用できない。
【０００３】
従来、携帯型電子機器では、耐環境性を強化、特に野外において想定される衝撃から携帯型電子機器を護る手段として、高強度を有するラギダイズケース（筐体）に、屋内の環境条件で設計された携帯型電子機器を、そのまま、格納（収容）させることが行なわれている（特許文献１を参照）。多くは、ラギダイズケース内に、緩衝ゴム部材で支えながら（保持）、携帯型電子機器を格納させる構造が用いられている。
【特許文献１】特開２００４−１６５４９６号公報
【発明の開示】
【発明が解決しようとする課題】
【０００４】
ところで、緩衝ゴム部材で携帯型電子機器を保護する構造には、いくつか難点がある。一つは、緩衝ゴム部材は、粘着性を有しているために、電池交換などで携帯型電子機器をラギダイズケースから取り出す際、緩衝ゴム部材が携帯型電子機器の表面に粘り付いているために、ラギダイズケースから携帯型電子機器が取り出し難い問題がある。
【０００５】
一つは、緩衝ゴム部材の材質だけでは、ラギダイズケースからの振動を携帯型電子機器へ伝達させないようにすることと、ラギダイズケースからの衝撃を携帯型電子機器へ伝達させないようにすることの両立が難しいことが挙げられる。一部では、緩衝ゴム部材の材質や形状を変えて、双方の性質を得ることも行なわれているが、材質や形状によっては成形が困難な場合が多く、簡単には振動や衝撃の伝達を抑える性能が得られない問題がある。
【０００６】
そこで、本発明の第１の目的として、緩衝部材に粘り付かずに、携帯型電子機器が容易にラギダイズケースから取り出せる携帯型電子機器のラギダイズ構造を提供する。
【０００７】
第２の目的として、簡単な構造で、緩衝部材により、振動と、衝撃との双方が、ラギダイズケースから携帯型電子機器への伝わるのを抑えられる携帯型電子機器のラギダイズ構造を提供する。
【課題を解決するための手段】
【０００８】
請求項１に記載の発明は、第１の目的を達成するために、緩衝ゴム部材の携帯形電子機器を支える面に、合成樹脂製のスペーサ部材を設けて、緩衝ゴム部材の表面が携帯型電子機器に粘り付かないにした。
【０００９】
請求項２に記載の発明は、第２の目的を達成するために、ラギダイズケースの内面と該ケース内面に取付く緩衝ゴム部材との間に、ラギダイズケース内面から緩衝ゴム部材へ向かい突き出る先端が丸みを帯びた複数の突起部を介在させて、振動に対しては突起部の緩衝ゴム部材に対する当たり量を小さくすることで対処し、衝撃に対しては突起部がゴム部材に食い込んで圧縮される挙動で対処するようにした。
【発明の効果】
【００１０】
請求項１に記載の発明によれば、携帯型電子機器の取り外しの際、容易に携帯型電子機器がラギダイズケースから取り出すことができる。
【００１１】
請求項２に記載の発明によれば、ラギダイズケースに複数の突起部を形成するという簡単な構造で、緩衝ゴム部材をそのまま活用して、ラギダイズケースから携帯型電子機器へ伝わる振動、ラギダイズケースから携帯型電子機器へ伝わる衝撃を抑えることができる。
【発明を実施するための最良の形態】
【００１２】
［第１の実施形態］
以下、本発明を図１〜図１０に示す第１の実施形態にもとづいて説明する。
【００１３】
図１は、携帯型電子機器、例えばＰＤＡ（Personarul Digital Assistannt：携帯情報端末）１のラギダイズ構造の概観を示し、図２は同図１中のＡ−Ａ線に沿う断面図を示し、図３はラギダイズ構造の分解図を示し、図４〜図１０は各使用状態や各部構造などを示している。
【００１４】
ここで、まず、ＰＤＡ１について説明すると、同ＰＤＡ１は、例えば図３に示されるように偏平箱状の本体２内に、各種回路を搭載した回路基板（図示しない）を収めた構造が用いてある。本体２は、例えば上面に表示画面３（例えば液晶表示）と操作面４とが設けられ、当該操作面４および表示画面３を用いて、各種情報が入力できるようにしてある。また本体２の一端部にはカードスロット（図示しない）がある。このカードスロットには、例えばＬＡＮカード５が装着してあり、該ＬＡＮカード５に接続したイーサネット（登録商標）コネクタ６、該イーサネットコネクタ６から延びるケーブル７を通じて、他のパソコンなど（図示しない）と各種情報のやり取りが行なえるようにしてある。
【００１５】
このＰＤＡ１が図１〜図３に示されるように、同ＰＤＡ１に接続されたＬＡＮカード５、イーサネットコネクタ６と一緒に、高い剛性強度、高い密封性などをもつラギダイズケース１０（筐体）内に格納（収容）される。このラギダイズケース１０への格納により、主に屋内で使用されるＰＤＡ１（そのまま使用）に対し、野外環境で使用に耐えるだけの耐環境性を与えるようにしている。
【００１６】
ラギダイズケース１０について説明すると、同ラギダイズケース１０は、例えば下側と上側とに分割された複数のケース片、例えば上部が開放した箱形の下ケース１１と、同本体部１１の開放部１１ａ（入出口）を塞ぐ盤状の上ケース１２とを組み合わせて構成される（いずれも例えば合成樹脂製あるいは金属製）。下ケース１１の四方の壁１３ａ〜１３ｄは、ＬＡＮカード４、イーサネットコネクタ４が接続された状態のＰＤＡ１の外形にならう細長の形状（ＬＡＮカード４、イーサネットコネクタ４が有る部分で左右側壁１３ａ，１３ｂが細くなる）に形成される。この下ケース１１内に、開放部１１ａから、ＰＤＡ１が、表示画面３、操作面４を開放部１１ａへ向けて（上側）収められる。なお、ケーブル６は、イーサネットコネクタ４と向き合う端壁１３ｄに形成してある凹部１４からケース外へ導出する。
【００１７】
上ケース１２は、下ケース１１の開放部１１ａにならう形状に形成されている。なお、上ケース１２のうち、表示画面３および操作面４と向き合う部位は開放している（図２だけ図示）。この上ケース１２の上面には、図１〜３に示されるように透明な膜、例えば透明フィルム１６（例えば塩化ビニル製）が、枠形のフィルム固定カバー１７で挟み込んであり、上ケース１２の開放部１１ａ（図２だけ図示）上に透視部１９を形成している。この上ケース１２が、ガスケット１８（図３のみ図示）を挟み込んで、下ケース１１の開放端と重なるように固定（例えばねじ部材２０で固定）され、ＰＤＡ１の全体を、ラギダイズケース１０内に、シール（液密）させながら収納させてある。なお、ケーブル７の根元は、最外の被覆部（図示しない）が凹部１４と上ケース１２とに挟み込まれることで、シールされる。さらに述べれば、ＰＤＡ１の画面表示部３および操作面４は、上ケース１２の透明フィルム１６（透視部１９）と近接対向する関係となっていて、ケース外から、透明フィルム１６を通じ、指先のタッチで、表示画面３や操作面４が操作されるようにしてある。なお、２１は、透明フィルム１６を保護するために、該透明フィルム１６の前面に設けた透明な保護シート（例えばＰＥＴ製）を示す。
【００１８】
一方、図３に示されるように下ケース１１の内面の各部には、機器保持用の緩衝ゴム部材２５（衝撃吸収性の優れる軟らかい部材で、粘着性が有るゴム部材）が設けられている。緩衝ゴム部材２５には、例えば下ケース１１の底面に取着されてＰＤＡ１の下面を支えるプレート形の緩衝ゴム部材２５ａ，２５ｂと、同じくＬＡＮカード５の下面を支えるプレート形の緩衝ゴム部材２５ｃと、例えば下ケース１１の両側壁１３ａ，１３ｂ（幅方向）の内面に取着されてＰＤＡ１の四方の角部１ａ〜１ｄを支える断面Ｌ字状の短柱形の４つの緩衝ゴム部材２５ｄ〜２５ｇとが用いられている。これら緩衝ゴム部材２５ａ〜２５ｇとの接触にて、ＰＤＡ１を所期の姿勢で位置決めている。
【００１９】
これら緩衝ゴム部材２５ａ〜２５ｇのうち、図５（ａ），（ｂ）に示されるように緩衝ゴム部材２５ｄ〜２５ｇの内面（ＰＤＡと向き合う面）、すなわちＰＤＡ１の角部１ａ〜１ｄを支えるＬ字状の内面２６ａには、該内面形状にならうＬ字プレート形のスペーサ２７が取着されている。また図６（ａ），（ｂ）に示されるように緩衝ゴム部材２５ａ〜２５ｃの内面（ＰＤＡと向き合う面）、すなわちＰＤＡ１の下面やＬＡＮカード５の下面を支える内面２６ｂには、該内面形状にならう長方形のスペーサ２８が取着されている。スペーサ２７，２８には、いずれも粘着性のある緩衝ゴム部材２５とは異なり、粘着性の無い合成樹脂部品、例えば合成樹脂部材製のシートで形成した部品が用いられている。こうした内面２６ａ，２６ｂに層状に取り付くスペーサ２７，２８により、ＰＤＡ１やＬＡＮカード５が、粘り付くような挙動を与えずに、緩衝ゴム部材２５ａ〜２５ｇにて支えられる構造にしている。
【００２０】
また図７および図８に示されるように各緩衝ゴム部材２５ａ〜２５ｇとケース内面との間には、緩衝ゴム部材２５ａ〜２５ｇを振動吸収と衝撃吸収との双方に作用させる手段として、突起部３０が介在されている。突起部３０は、例えば側壁１３ａ，１３ｂの内面や内底面１３ｆから突き出るリブ、具体的には並行に配置された先端が丸みを帯びた複数条のリブ３１で形成されている。これらリブ３１は、図７に示されるように緩衝ゴム部材２５ｄ〜２５ｇであれば、側壁１３ａ，１３ｂの内面のうち、該緩衝ゴム部材２５ｄ〜２５ｇが取り付く領域２６ｃだけに形成してあり、図８に示されるように緩衝ゴム部材２５ａ〜２５ｃであれば、内底面１３ｆのうち、緩衝ゴム部材２５ａ〜２５ｃが取り付く領域２６ｄだけに形成してある。これらリ各丸みを帯びたリブ群の先端部３１ａに、緩衝ゴム部材２５ａ〜２５ｇの取付面が取着してある。つまり、各緩衝ゴム部材２５ａ〜２５ｇは、複数条のリブ３１を介在させて、ケース内面に取着してある。こうしたリブ３１によって、通常時は、緩衝ゴム部材２５ａ〜２５ｇに対するリブ３１の当たり具合が小さいことで、緩衝ゴム部材２５ａ〜２５ｇの復元性を確保して、ラギダイズケース１０からの振動を緩衝ゴム部材２５ａ〜２５ｇで吸収する。ラギダイズケース１０から衝撃が加わる衝撃時（落下など）は、リブ３１が緩衝ゴム部材２５ａ〜２５ｇへの食い込み、つまりリブ３１が食い込むことで生じる緩衝ゴム部材２５ａ〜２５ｇの圧縮変形により、衝撃を吸収するようにしている。
【００２１】
他方、ラギダイズケース１０には、図４に示されるように透視部１９の前面を覆う保護パッド部材３５が付けられている。保護パッド部材３５には、例えば図１〜図３に示されるように例えば表示画面３を覆うのに適した幅寸法をもつ帯板状のラバー部材（ゴム部材）、特に透明な帯形のシリコンラバー部材３５ａが用いられる。具体的には、シリコンラバー部材３５ａの一端部は、下ケース１１の下面に取着され、他端部は下ケース１１の側方へ延びる自由端部となっている。このシリコンラバー部材３５ａの自由端部には、係止部として、例えば止め孔３６が形成されている。これにより、図２中の二点鎖線や図４に示されるようにラギダイズケース１０の周りにシリコンラバー部材３５ａを巻き付けて、先端側の止め孔３６を、ケース外面に設けた係止受部、例えば下ケース１１の下面に突設した止め用突起３７（図２、図３に図示）に嵌めると、透視部１９の前面がシリコンラバー部材３５ａで覆われるようにしてある。これで、透視部１９や表示画面３をケース外から加わる衝撃などから護れる構造にしている。この状態からでも、透明なシリコンラバー部材３５ａを通じて、ＰＤＡ１の表示画面３で表示される情報の視認が行なえるようにしてある。
【００２２】
なお、下ケース１１と上ケース１２との分離作業が行いやすいよう、下ケース１１と上ケース１２との合わせ面１ａ（図１、図４に図示）の近くのケース外面、例えば図１に示されるように例えば下ケース１１の幅方向両側の側壁１３ａ，１３ｂのうち、凹部１４に近い端側の各外面部分には、図１中の拡大された図のように、下ケース１１と上ケース１２とを引き離す作業を行なう際、指先Ｙを引っ掛けるため偏平なくぼみ部３８が形成されている。詳しくは、同くぼみ部３８は、下ケース１１の開口端まで連続した凹部で形成されて、相手部材となる上ケース１２の縁部をくぼみ部３８内に露出させている。これにより、下ケース１１と上ケース１２とを合わせ部から分離するときは、下ケース１１のくぼみ部３８に指先Ｙを入れ、同指先を相手部材（上ケース１２）の端に引っ掛けながら、下ケース１１と上ケース１２とに引き離す方向の力を加えると、容易に下ケース１１と上ケース１２とが引き離せるようにしてある。
【００２３】
こうしたラギダイズケース１０により、ＰＤＡ１は、野外の使用に耐えるように強化される。
【００２４】
すなわち、ラギダイズケース１０にて、ＰＤＡ１が、例えば日射、風雨、ほこり、湿気、振動、衝撃に耐える耐環境性が与えられる。特に図２（二点鎖線で示す状態）および図４に示されるように保護パッド部材２５を巻き付けてラギダイズケース１０の透視部１９の前面を覆うと、強度的に劣る透視部１９やその内側の表示画面３が保護され、野外で携行中、ＰＤＡ１の表示画面３が、外力などで不用意に破損するのが防止される。しかも、透明なシリコンラバー部材３５ａを用いると、透視部１９や表示画面３へ加わる応力が分散されて効果的にＰＤＡ１の表示画面３が保護できるうえ、保護された状態下でも、保護パッド部材２５を通じて、ＰＤＡ１の表示画面３で表示された情報を目視できるので、使い勝手はよい。
【００２５】
そのうえ、緩衝ゴム部材２５にて、ケース外からの振動や衝撃がＰＤＡ１へ伝わるのが効果的に緩衝することができる。すなわち、当該振動、衝撃の点を説明すると、緩衝ゴム部材２５ａ〜２５ｇは、図１０（ａ）に示されるように通常時、リブ３１（突起部）の先端だけで支えられる。このとき、図１０（ｂ）に示されるようにラギダイズケース１０からＰＤＡ１へ振動が作用すると、緩衝ゴム部材２５のリブ３１に対する接触面積が小さいため、ラギダイズケース１０からの振動は、リブ先端が緩衝ゴム部材２５に食い込む程度の変形、該変形復帰の繰り返しで吸収される。また図１０（ｃ）に示されるようにラギダイズケース１０から衝撃がＰＤＡ１へ衝撃力が作用すると、リブ３１が緩衝ゴム部材２５に大きく食い込む挙動が発生、さらには同挙動により緩衝ゴム部材２５を圧縮変形させる挙動が発生して、衝撃力を吸収する。つまり、緩衝ゴム部材２５にリブ３１（突起部）を組み合わせるだけの簡単な構造で、緩衝ゴム部材２５の性質をそのまま活用して、振動と衝撃との双方を対処することができる。これにより、緩衝ゴム部材２５の材質や形状を変更したり、該ゴム部材２５の成形に関与したりせずに、ラギダイズケース１０から振動、衝撃がＰＤＡ１へ伝わるのを抑えることができる。
【００２６】
一方、電池交換などにより、ラギダイズケース１０からＰＤＡ１を取り出すときは、まず、下ケース１１を開放させる。このときには、下ケース１１と上ケース１２とを固定しているねじ部材２０を外してから、下ケース１１と上ケース１２とを左右の手で保持して、下ケース１１と上ケース１２とを引き離して行なう。この際、上ケース１２を保持する指先をくぼみ部３８内に入れ、上ケース１２の縁部を指先で引っ掛けて、引き離す方向の力を加えると、容易に下ケース１１から上ケース１２が取外せる。
【００２７】
この後、図９に示されるように下ケース１１内から、ＰＤＡ１を外せばよい。このとき、緩衝ゴム部材２５ａ〜２５ｇのうち、ＰＤＡ１やＬＡＮカード５を支える内面２６ａ，２６ｂには合成樹脂製のスペーサ２７，２８が設けてあるから、ＰＤＡ１は、図９中の二点鎖線に示されるように緩衝ゴム部材２５ａ〜２５ｇ（一部しか図示せず）と粘り付く挙動を生じずに、容易にケース外へ取り出せる。
【００２８】
このことから、緩衝ゴム部材２５を用いたラギダイズ構造において問題とされていたＰＤＡ１の取り出し性の点、振動と衝撃との双方の緩衝の点を改善することができる。
【００２９】
［第２の実施形態］
図１２は、本発明の第２の実施形態を示す。
【００３０】
本実施形態は、複数条のリブ３１の代わりに、複数の半球状の突起４０をケース内面に形成した例を示す。このようにしても第１の実施形態と同様の効果を奏する。但し、図１２において、第１の実施形態と同じ部分には同一符号を付してその説明を省略した。
【００３１】
なお、本発明は上述した実施形態に限定されるものではなく、本発明の主旨を逸脱しない範囲内で種々変更して実施しても構わない。例えば上述した実施形態では、携帯型電子機器として、ＰＤＡを用いた例を挙げたが、これに限らず、他の携帯型電子機器を用いてもよい。
【図面の簡単な説明】
【００３２】
【図１】本発明の第１の実施形態に係るＰＤＡを収めたラギダイズケースの外観を示す斜視図。
【図２】図１中のＡ−Ａ線に沿うラギダイズケースの断面図。
【図３】同ラギダイズケースの分解斜視図。
【図４】同ラギダイズケースの透視部を保護パッドで覆った状態を示す斜視図。
【図５】ＰＤＡの角部を支える緩衝ゴム部材およびスペーサの構造を説明するための斜視図。
【図６】ＰＤＡの下面を支える緩衝ゴム部材およびスペーサの構造を説明するための斜視図。
【図７】ＰＤＡの角部を支える緩衝ゴム部材に振動・衝撃の緩衝性能をもたらす突起部の構造を説明するための斜視図。
【図８】ＰＤＡの下面を支える緩衝ゴム部材に振動・衝撃の緩衝性能をもたらす突起部の構造を説明するための斜視図。
【図９】ラギダイズケースからＰＤＡを取り出すときを説明するための断面図。
【図１０】突起部により、緩衝ゴム部材に振動・衝撃の緩衝をもたらす作用を説明するための断面図。
【図１１】本発明の第２の実施形態の要部となる突起部の構造を示す斜視図。
【符号の説明】
【００３３】
１…ＰＤＡ（携帯型電子機器）、３…表示画面、１０…ラギダイズケース、１１，１２…下ケース，上ケース（ケース片）、１９…透視部、２７，２８…合成樹脂製のスペーサ、３１，４０…リブ，半球状の突起（突起部）、３５…保護パッド部材、３５ａ…透明なシリコンラバー部材（透明なゴム部材）、３８…くぼみ部。
【図１】
2006334005.tif 000003
【図２】
2006334005.tif 000004
【図３】
2006334005.tif 000005
【図４】
2006334005.tif 000006
【図５】
2006334005.tif 000007
【図６】
2006334005.tif 000008
【図７】
2006334005.tif 000009
【図８】
2006334005.tif 000010
【図９】
2006334005.tif 000011
【図１０】
2006334005.tif 000012
【図１１】
2006334005.tif 000013